【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
ＩＣを備えた遊技台であって、
前記遊技台は、ぱちんこ機またはスロットマシンであり、
前記ＩＣのパッケージは、ＤＩＰパッケージであり、
前記ＩＣのパッケージは、第一の側部を少なくとも有するパッケージであり、
前記第一の側部の少なくとも一部は、第一の凹部であり、
前記第一の側部の少なくとも一部は、第一の部位であり、
前記第一の側部の少なくとも一部は、第三の部位であり、
前記第一の凹部は、前記第一の部位と前記第三の部位の間に少なくとも設けられており、
前記第一の凹部は、端子が設けられておらず、
前記第一の部位は、第一の数の端子が設けられた部位であり、
前記第三の部位は、第三の数の端子が設けられた部位であり、
前記第三の数は、前記第一の数よりも大きな数であり、
前記第一の部位において隣り合う二つの端子の距離は、第一の距離であり、
前記第三の部位において隣り合う二つの端子の距離は、第三の距離であり、
前記第一の部位における第一の端子と前記第三の部位における第三の端子の距離は、第五の距離であり、
前記第一の端子とは、前記第一の凹部の最も近くに設けられた端子のことであり、
前記第三の端子とは、前記第一の凹部の最も近くに設けられた端子のことであり、
前記第一の距離と前記第三の距離は、同じ距離であり、
前記第五の距離は、前記第一の距離よりも長い距離であり、
前記ＩＣは、マイクロプロセッサであり、
前記マイクロプロセッサは、ＣＰＵを少なくとも内蔵しており、
前記マイクロプロセッサは、ＲＯＭを少なくとも内蔵しており、
前記ＲＯＭは、ユーザプログラムが少なくとも記憶されており、
前記ユーザプログラムは、前記ＣＰＵによって実行されるように構成されており、
前記マイクロプロセッサは、セキュリティチェックを少なくとも実行可能なプロセッサであり、
前記セキュリティチェックは、前記ユーザプログラムに異常がないかをチェックする機能を少なくとも有するものである、
ことを特徴とする遊技台。
【請求項２】
請求項１に記載の遊技台であって、
前記ＩＣのパッケージは、第二の側部を少なくとも有するパッケージであり、
前記ＩＣのパッケージは、第三の側部を少なくとも有するパッケージであり、
前記ＩＣのパッケージは、第四の側部を少なくとも有するパッケージであり、
前記ＩＣのパッケージにおける前記第一の側部と逆側の側部は、前記第二の側部であり、
前記ＩＣのパッケージにおける前記第三の側部と逆側の側部は、前記第四の側部であり、
前記第一の側部の長さは、前記第四の側部の長さよりも長く、
前記第三の側部は、端子が設けられておらず、
前記第四の側部は、端子が設けられておらず、
前記第二の側部の少なくとも一部は、第二の凹部であり、
前記第二の側部に設けられた端子の数は、前記第一の数と前記第三の数を足した数よりも大きな数であり、
前記第一の凹部と前記第二の凹部は、同じ形状である、
ことを特徴とする遊技台。
【請求項３】
請求項２に記載の遊技台であって、
前記第二の側部の少なくとも一部は、第二の部位であり、
前記第二の側部の少なくとも一部は、第四の部位であり、
前記第二の凹部は、前記第二の部位と前記第四の部位の間に少なくとも設けられており、
前記第二の凹部は、端子が設けられておらず、
前記第二の部位は、第二の数の端子が設けられた部位であり、
前記第四の部位は、第四の数の端子が設けられた部位であり、
前記第二の数と前記第四の数は、同じ数であり、
前記第二の部位において隣り合う二つの端子の距離は、第二の距離であり、
前記第四の部位において隣り合う二つの端子の距離は、第四の距離であり、
前記第二の部位における第二の端子と前記第四の部位における第四の端子の距離は、第六の距離であり、
前記第二の端子とは、前記第二の凹部の最も近くに設けられた端子のことであり、
前記第四の端子とは、前記第二の凹部の最も近くに設けられた端子のことであり、
前記第二の距離と前記第四の距離は、同じ距離であり、
前記第一の距離と前記第二の距離は、同じ距離であり、
前記第六の距離は、前記第二の距離よりも長い距離であり、
前記第六の距離と前記第五の距離は、同じ距離である、
ことを特徴とする遊技台。
【請求項４】
請求項３に記載の遊技台であって、
前記第一の側部と前記第三の側部の間には、第五の部位が少なくとも設けられており、
前記第五の部位は、端子が設けられておらず、
前記第一の凹部における最も凹んだ位置と前記第二の凹部における最も凹んだ位置の距離は、第七の距離であり、
前記第一の端子と前記第二の端子の距離は、第八の距離であり、
前記第三の端子と前記第四の端子の距離は、前記第八の距離であり、
前記第七の距離は、前記第八の距離よりも短い距離である、
ことを特徴とする遊技台。
【請求項５】
請求項１乃至請求項４のいずれか一項に記載の遊技台であって、
主制御手段と、
払出制御手段と、を備え、
前記主制御手段は、前記払出制御手段に対して少なくともコマンド信号を少なくとも送信可能であり、
前記マイクロプロセッサは、前記主制御手段および前記払出制御手段のうちの少なくとも一方に設けられている、
ことを特徴とする遊技台。
【請求項６】
請求項５に記載の遊技台であって、
前記払出制御手段は、前記主制御手段に対して少なくともコマンド信号を少なくとも送信可能である、
ことを特徴とする遊技台。
【請求項７】
請求項１乃至請求項６のいずれか一項に記載の遊技台であって、
前記ＩＣを少なくとも取り付け可能なＩＣソケットと、
前記ＩＣソケットが少なくとも設けられた制御基板と、を備えている、
ことを特徴とする遊技台。
【手続補正２】
【補正対象書類名】明細書
【補正対象項目名】０００６
【補正方法】変更
【補正の内容】
【０００６】
本発明に係る遊技台は、ＩＣを備えた遊技台であって、前記遊技台は、ぱちんこ機またはスロットマシンであり、前記ＩＣのパッケージは、ＤＩＰパッケージであり、前記ＩＣのパッケージは、第一の側部を少なくとも有するパッケージであり、前記第一の側部の少なくとも一部は、第一の凹部であり、前記第一の側部の少なくとも一部は、第一の部位であり、前記第一の側部の少なくとも一部は、第三の部位であり、前記第一の凹部は、前記第一の部位と前記第三の部位の間に少なくとも設けられており、前記第一の凹部は、端子が設けられておらず、前記第一の部位は、第一の数の端子が設けられた部位であり、前記第三の部位は、第三の数の端子が設けられた部位であり、前記第三の数は、前記第一の数よりも大きな数であり、前記第一の部位において隣り合う二つの端子の距離は、第一の距離であり、前記第三の部位において隣り合う二つの端子の距離は、第三の距離であり、前記第一の部位における第一の端子と前記第三の部位における第三の端子の距離は、第五の距離であり、前記第一の端子とは、前記第一の凹部の最も近くに設けられた端子のことであり、前記第三の端子とは、前記第一の凹部の最も近くに設けられた端子のことであり、前記第一の距離と前記第三の距離は、同じ距離であり、前記第五の距離は、前記第一の距離よりも長い距離であり、前記ＩＣは、マイクロプロセッサであり、前記マイクロプロセッサは、ＣＰＵを少なくとも内蔵しており、前記マイクロプロセッサは、ＲＯＭを少なくとも内蔵しており、前記ＲＯＭは、ユーザプログラムが少なくとも記憶されており、前記ユーザプログラムは、前記ＣＰＵによって実行されるように構成されており、前記マイクロプロセッサは、セキュリティチェックを少なくとも実行可能なプロセッサであり、前記セキュリティチェックは、前記ユーザプログラムに異常がないかをチェックする機能を少なくとも有するものである、ことを特徴とする遊技台である。
【手続補正３】
【補正対象書類名】明細書
【補正対象項目名】３４６９
【補正方法】変更
【補正の内容】
【３４６９】
以上説明したように、本発明にかかる遊技台（例えば、ぱちんこ機１００）は、ＩＣを備えた遊技台であって、前記遊技台は、ぱちんこ機またはスロットマシンであり、前記ＩＣのパッケージ（例えば、一体化パッケージ１０１２０）は、ＤＩＰパッケージであり、前記ＩＣのパッケージは、第一の側部（例えば、図３６０（ｂ）の左側側部）を少なくとも有するパッケージであり、前記第一の側部の少なくとも一部は、第一の凹部（例えば、図３６０（ｂ）の左側側部にある凹部）であり、前記第一の側部の少なくとも一部は、第一の部位（例えば、図３６０（ｂ）の左側側部にある凹部より上方の部位）であり、前記第一の側部の少なくとも一部は、第三の部位（例えば、図３６０（ｂ）の左側側部にある凹部より下方の部位）であり、前記第一の凹部は、前記第一の部位と前記第三の部位の間に少なくとも設けられており、前記第一の凹部は、端子が設けられておらず、前記第一の部位は、第一の数（例えば、図３６０（ｂ）では１１本）の端子が設けられた部位であり、前記第三の部位は、第三の数（例えば、図３６０（ｂ）では１２本）の端子が設けられた部位であり、前記第三の数は、前記第一の数よりも大きな数であり、前記第一の部位において隣り合う二つの端子の距離は、第一の距離であり、前記第三の部位において隣り合う二つの端子の距離は、第三の距離であり、前記第一の部位における第一の端子と前記第三の部位における第三の端子の距離は、第五の距離であり、前記第一の端子とは、前記第一の凹部の最も近くに設けられた端子のことであり、前記第三の端子とは、前記第一の凹部の最も近くに設けられた端子のことであり、前記第一の距離と前記第三の距離は、同じ距離であり、前記第五の距離は、前記第一の距離よりも長い距離である、前記ＩＣは、マイクロプロセッサ（例えば、マイクロプロセッサ３０００）であり、前記マイクロプロセッサは、ＣＰＵ（例えば、ＣＰＵ３０４）を少なくとも内蔵しており、前記マイクロプロセッサは、ＲＯＭ（例えば、ＲＯＭ３０６）を少なくとも内蔵しており、前記ＲＯＭは、ユーザプログラムが少なくとも記憶されており、前記ユーザプログラムは、前記ＣＰＵによって実行されるように構成されており、前記マイクロプロセッサは、セキュリティチェックを少なくとも実行可能なプロセッサであり、前記セキュリティチェックは、前記ユーザプログラムに異常がないかをチェックする機能を少なくとも有するものである、ことを特徴とする遊技台である。
このような構成によれば、凹部を端子間に設けることによってＩＣパッケージと基板の間を点検可能とし、改造部品がＩＣパッケージと基板の間に配置されることを防止できる場合がある。また、セキュリティチェック機能を有するＩＣ（マイクロプロセッサ）を有しているため、形状による不正対策だけでなく、内部的な不正対策が可能となる場合がある。
また、前記ＩＣのパッケージは、第二の側部（例えば、図３６０（ｂ）の右側側部）を少なくとも有するパッケージであり、前記ＩＣのパッケージは、第三の側部（例えば、図３６０（ｂ）の上側側部）を少なくとも有するパッケージであり、前記ＩＣのパッケージは、第四の側部（例えば、図３６０（ｂ）の下側側部）を少なくとも有するパッケージであり、前記ＩＣのパッケージにおける前記第一の側部と逆側の側部は、前記第二の側部であり、前記ＩＣのパッケージにおける前記第三の側部と逆側の側部は、前記第四の側部であり、前記第一の側部の長さは、前記第四の側部の長さよりも長く、前記第三の側部は、端子が設けられておらず、前記第四の側部は、端子が設けられておらず、前記第二の側部の少なくとも一部は、第二の凹部（例えば、図３６０（ｂ）の右側側部に設けられた凹部）であり、前記第二の側部に設けられた端子の数（例えば、図３６０（ｂ）では２４本）は、前記第一の数と前記第三の数を足した数よりも大きな数であり、前記第一の凹部と前記第二の凹部は、同じ形状である、ものであってもよい。
また、前記第二の側部の少なくとも一部は、第二の部位（例えば、図３６０（ｂ）の右側側部にある凹部より上方の部位）であり、前記第二の側部の少なくとも一部は、第四の部位（例えば、図３６０（ｂ）の右側側部にある凹部より上方の部位）であり、前記第二の凹部は、前記第二の部位と前記第四の部位の間に少なくとも設けられており、前記第二の凹部は、端子が設けられておらず、前記第二の部位は、第二の数の端子（例えば、図３６０（ｂ）では１２本）が設けられた部位であり、前記第四の部位は、第四の数の端子（例えば、図３６０（ｂ）では１２本）が設けられた部位であり、前記第二の数と前記第四の数は、同じ数であり、前記第二の部位において隣り合う二つの端子の距離は、第二の距離であり、前記第四の部位において隣り合う二つの端子の距離は、第四の距離であり、前記第二の部位における第二の端子と前記第四の部位における第四の端子の距離は、第六の距離であり、前記第二の端子とは、前記第二の凹部の最も近くに設けられた端子のことであり、前記第四の端子とは、前記第二の凹部の最も近くに設けられた端子のことであり、前記第二の距離と前記第四の距離は、同じ距離であり、前記第一の距離と前記第二の距離は、同じ距離であり、前記第六の距離は、前記第二の距離よりも長い距離であり、前記第六の距離と前記第五の距離は、同じ距離であってもよい。
また、前記第一の側部と前記第三の側部の間には、第五の部位（例えば、図３６０（ｂ）の左側側部と上側側部の間にある傾斜部位）が少なくとも設けられており、前記第五の部位は、端子が設けられておらず、前記第一の凹部における最も凹んだ位置と前記第二の凹部における最も凹んだ位置の距離は、第七の距離であり、前記第一の端子と前記第二の端子の距離は、第八の距離であり、前記第三の端子と前記第四の端子の距離は、前記第八の距離であり、前記第七の距離は、前記第八の距離よりも短い距離であってもよい。
また、主制御手段（例えば、主制御部３００）と、払出制御手段（例えば、払出制御部６００）と、を備え、前記主制御手段は、前記払出制御手段に対して少なくともコマンド信号を少なくとも送信可能であり、前記マイクロプロセッサは、前記主制御手段および前記払出制御手段のうちの少なくとも一方に設けられている、ものであってもよい。
また、前記払出制御手段は、前記主制御手段に対して少なくともコマンド信号を少なくとも送信可能であってもよい。
また、前記ＩＣを少なくとも取り付け可能なＩＣソケット（例えば、ＩＣソケット５８５０）と、前記ＩＣソケットが少なくとも設けられた制御基板と、を備えている、ものであってよい。
上記実施形態に基づく本発明は以下のように記述することもできる。
＜付記Ａ＞
＜付記Ａ１＞
ＣＰＵと、
【手続補正４】
【補正対象書類名】明細書
【補正対象項目名】０００２
【補正方法】削除
【補正の内容】
【手続補正５】
【補正対象書類名】明細書
【補正対象項目名】０００３
【補正方法】削除
【補正の内容】
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００７
【補正方法】削除
【補正の内容】